(57)【特許請求の範囲】
【請求項１】
複数本の光ファイバ（５５ａ、５５ｂ、７５ａ、７５ｂ、９４ａ、９４ｂ、９４ｃ、９４ｄ、１１５ａ、１１５ｂ、１１５ｃ、１１５ｄ）が内装固定され、かつ前記光ファイバの一端側が突き合わせ接続可能に成端された接合端面（５４、７４、９５、１１４）及び該接合端面に対向して設けられ前記光ファイバの他端側が露出された後端面（５２、７２、９２、１１２）を備えるフェルール（５１、７１、９１、１１１）と、該フェルールの前記後端面に近接配置された光部品（５３、７３、９３、１１３）とを備えてなり、前記光部品は、発光素子又は受光素子である複数の光素子（６０ａ、６０ｂ、８０ａ、８０ｂ、９８ａ、９８ｂ、９８ｃ、９８ｄ、１２６ａ、１２６ｂ、１２６ｃ、１２６ｄ）を有すると共に、各光素子がそれぞれ前記後端面から露出する各光ファイバ端面に対向して配置された光モジュール（５０、７０、９０、１１０）において、対向する光ファイバ端面と前記光素子との対と、光ファイバ端面と前記光素子の対との間に、光遮蔽壁部（５８、６６、７８、９６ａ、９６ｂ、９６ｃ、１１９ａ、１１９ｂ、１１９ｃ、１３４ａ、１３４ｂ、１３４ｃ）を設けてなり、
前記フェルールは、その後端面が、前記複数の光ファイバのうち一の光ファイバ（５５ａ、１１５ａ）の光ファイバ端面の位置する一の端面部（５６、１１６）と該一の光ファイバに隣接する二の光ファイバ（５５ｂ、１１５ｂ）の光ファイバ端面の位置する二の端面部（５７、１１８）とが、前記光部品方向への位置をずらせて配置されると共に、これら一の端面部と二の端面部との間に前記光遮蔽壁部が形成され、前記光部品は、前記複数の光素子が設けられた先端面（６３、１３１）が、各光素子のうち一の光素子（６０ａ、１２６ａ）の設けられた一の先端面部（６４、１３２）と、該一の光素子に隣接する二の光素子（６０ｂ、１２６ｂ）の設けられた二の先端面部（６５、１３３）とが、前記フェルールの後端面方向への位置をずらせて配置されると共に、これら一の先端面部と二の先端面部との間に前記光遮蔽壁部が設けられていることを特徴とする光モジュール。
【請求項２】
一の光素子（６０ａ、１２６ａ）、二の光素子（６０ｂ、１２６ｂ）のいずれか一方が発光素子、他方が受光素子であることを特徴とする請求項１記載の光モジュール。
【請求項３】
前記フェルールに、該フェルールに突き合わせ接続される光通信線側のフェルールとの位置決め用のガイドピンが挿入されるガイドピン穴（５９、７９、１２０）が形成されていることを特徴とする請求項１又は２記載の光モジュール。
【発明の詳細な説明】
【０００１】
【発明の属する技術分野】
本発明は、光通信の接続部に使用される光モジュールに関するものである。
【０００２】
【従来の技術】
光線路にあっては、該光線路を構成する光ファイバ端末に接続した光モジュールによって、光信号の送受信を行う技術が提案されている。この光モジュールは、フォトダイオード等からなる受光素子やレーザダイオード等からなる発光素子といった光素子を内部に備え、光ファイバ端末にコネクタ接続されるもので、光ファイバに対して着脱自在になっている。
【０００３】
従来、この種の光モジュールとしては、例えば、図４に示すものがある。
図４において、光モジュール１は、ＪＩＳ  Ｃ  ５９８１に制定される光コネクタ（フェルール８）と接続される心数が１本であるフェルール２と、該フェルール２の後端部３後方に配置されている光部品４とをケース５内に備えた構成とされている。前記フェルール２には、光ファイバ６の一端が光部品４側に延出して固定されていると共に、他端が光線路側の光ファイバ７側のフェルール８と接続されるフェルール２の接合端面９において成端されている。前記フェルール２と光線路側の光ファイバ７側のフェルール８とは、それぞれに設けられたガイドピン穴１０、１１にガイドピン１２を挿入配置し、所定の突き合わせ力により突き合わせ接続されている。図５にフェルール２の接合端面９を示す。
図４に示す前記光部品４には、光素子１３が固定される基板１４が備えられ、該基板１４上には、フェルール２の後端部３から延出された光ファイバ６が、前記光素子１３と光軸を合わせるように位置決めされるためのＶ溝１５が形成されている。このＶ溝１５には、前記光ファイバ６の先端が光素子１３と近接配置され、固定されている。
【０００４】
ところで、上記の光モジュール１では、基板１４にＶ溝を有するため、その加工が必要となって光モジュール１がコスト高となる。
また、基板１４に光ファイバ６を固定するという固定作業が必要とされるため、光モジュール１の製造が煩雑となるという問題が生じていた。
そこで、近年、Ｖ溝を形成することなく、一つの光モジュールで光信号を送受信することができるような複数の光素子を備えた光モジュールが求められており、一例として図６（ａ）、（ｂ）、図７に示すものが提案されている。
図６（ａ）、（ｂ）に示す、光モジュール２０は、ＪＩＳ  Ｃ  ５９８１に制定される光コネクタのフェルール２１と、該フェルール２１の後端部２２に近接配置された光部品２３とをケース２４内に備えた構成とされている。
【０００５】
前記フェルール２１には、２心の光ファイバ２５ａ、２５ｂが一端において成端される接合端面２６が設けられている。この場合においても、光通信線側のフェルール（図示せず）と前記フェルール２１とは、ガイドピン穴２７、２７にガイドピンを挿入して突き合わせ接続される。前記光部品２３には、光素子２８、２８が固定される基板２９とが設けられている。この場合、光素子２８、２８は基板２９に着脱自在に取り付けられたものである。
この光モジュール２０は、光通信線側の光ファイバからの光を光ファイバ２５ａを介して、光素子２８にて受光したり、光素子２８からの光を光ファイバ２５ｂを介して光線路側の光ファイバへ発光して用いる。
図７に示す光モジュール３０は、上記図６（ａ）、（ｂ）の光モジュール２０の光部品２３に代えて、光部品３３を用いたものである。図７において、図６（ａ）と同一構成要素については同一符号を付し、その説明を省略する。
図７に示す光部品３３は、光素子３１ａ、３１ｂと、それらが積層される固定部材３２とを一体的に構成したものである。
【０００６】
【発明が解決しようとする課題】
ところで、上記のＶ溝を設けず、受信と送信を行えるようにした光モジュール２０、３０では、以下の問題点があった。問題点について、光モジュール３０を例に説明すると、図８（ａ）に示すように、光モジュール３０は、フェルール２１の光ファイバ２５ａを通った光が本来（イ）の方向に沿って進み、フォトダイオード等の受光素子３１ａだけに当たるべきところが、光の一部が（ロ）の方向にも広がり、レーザダイオード等の発光素子３１ｂの近傍で反射し、発光素子３１ｂから発光された信号を乱すという問題があった。
また、図８（ｂ）に示すように、光モジュール３０では、発光素子３１ｂから（イ）の方向へ発光された光の一部が、（ロ）の向きに沿ってフェルール２１の後端部２２に当たって反射して受光素子３１ａに入射し、光ファイバ２５ａから受光素子３１ａに入射する信号を乱すという問題があった。
また、特定の光以外の光が光素子に入射することで、光通信に支障を来すことがあり、使用する光素子によっては、当該光素子の劣化が生じるという問題があった。
【０００７】
更に、図９に示すように、光ファイバ４０、４０、…を組み込んだ多心のフェルール４１と、固定部材４２上に設けられたアレイベース４３に複数の光素子４４、４４、…が配列状態にマウントされてなる光部品４５とをケース２４内に収納した構成の光モジュール４６の場合には、図７（ａ）に示した２つの光素子を備えた光モジュールの場合よりも光素子同士の間隔Ｌが狭くなり、２つの光素子を備えた光モジュールで生じた問題が更に顕著になるといった問題が起きていた。
本発明は、上記の事情に鑑みてなされたもので、光ファイバと光素子との間に規定外の光が入射することを防止して、常に正常な光通信を行うことができる光モジュールを提供すること、及び、光素子に規定外の光が入射することによる光素子の劣化を防止することができる光モジュールを提供することを目的とする。
【０００８】
【課題を解決するための手段】
本発明の光モジュールでは、上記課題を解決するため、以下の手段を採用した。
すなわち、請求項１記載の光モジュールによれば、複数本の光ファイバが内装固定され、かつ前記光ファイバの一端側が突き合わせ接続可能に成端された接合端面及び該接合端面に対向して設けられ前記光ファイバの他端側が露出された後端面を備えるフェルールと、該フェルールの前記後端面に近接配置された光部品とを備えてなり、前記光部品は、発光素子又は受光素子である複数の光素子を有すると共に、各光素子がそれぞれ前記後端面から露出する各光ファイバ端面に対向して配置された光モジュールにおいて、対向する光ファイバ端面と前記光素子との対と、この対に隣接する光ファイバ端面と前記光素子の対との間に、光遮蔽壁部を設けてなり、前記フェルールは、その後端面が、前記複数の光ファイバのうち一の光ファイバの光ファイバ端面の位置する一の端面部と該一の光ファイバに隣接する二の光ファイバの光ファイバ端面の位置する二の端面部とが、前記光部品方向への位置をずらせて配置されると共に、これら一の端面部と二の端面部との間に前記光遮蔽壁部が形成され、前記光部品は、前記複数の光素子が設けられた先端面が、各光素子のうち一の光素子の設けられた一の先端面部と、該一の光素子に隣接する二の光素子の設けられた二の先端面部とが、前記フェルールの後端面方向への位置をずらせて配置されると共に、これら一の先端面部と二の先端面部との間に前記光遮蔽壁部が設けられていることを特徴とする。
請求項２に係る発明は、一の光素子、二の光素子のいずれか一方が発光素子、他方が受光素子であることを特徴とする請求項１記載の光モジュールである。
請求項３に係る発明は、前記フェルールに、該フェルールに突き合わせ接続される光通信線側のフェルールとの位置決め用のガイドピンが挿入されるガイドピン穴が形成されていることを特徴とする請求項１又は２記載の光モジュールである。
【０００９】
この光モジュールでは、光ファイバから発せられた光のうち、一部の光が対向しない光素子の方向に進んだ場合に、この光が光遮蔽壁部によって遮られ、対向しない光素子に入射することがない。
【００１２】
この光モジュールでは、二の光ファイバから発せられた光のうち、一部の光が一の光素子の方向へ進んだ場合に、この光は、光部品に設けられた光遮蔽壁部によって遮られ、一の光素子の方向へ入射することがない。
また、一の光素子から発せられた光のうち、一部の光が二の光ファイバの向きへ進んだ場合に、この光は、フェルールに設けられた光遮蔽壁部に当たって反射し、二の光ファイバへ入射することがない。
【００１３】
【発明の実施の形態】
以下、本発明の実施の形態を、図１から図３を参照して説明する。
図１は、本発明の第一の実施の形態を示す図であり、符号５０は光モジュールである。光モジュール５０は、フェルール５１とフェルール５１の後端面５２に近接配置された光部品５３とをケース５０ａに備えた構成とされている。
フェルール５１は、プラスチック成形品であり、前記後端面５２と接合端面５４との間に渡って連通させたファイバ穴中に光ファイバ５５ａ、５５ｂが内挿されている。また、前記光ファイバ５５ａ、５５ｂを接合端面５４において突き合わせ接続可能に成端し、各光ファイバ５５ａ、５５ｂの他端を後端面５２に露出させている。この後端面５２は、２つの光ファイバのうち一の光ファイバ５５ａが露出する一の端面部５６に対して、二の光ファイバ５５ｂが露出する二の端面部５７が光部品５３方向へずらせて配置され、一の端面部５６と二の端面部５７との間に光ファイバ５５ｂと平行にフェルール５１側の光遮蔽壁部５８が形成されている。なお、光通信線側フェルールとの接続には、フェルール５１に設けられたガイドピン穴５９、５９にガイドピンを挿入して位置決めし、所定の突き合わせ力により突き合わせ接続される。ここで、光遮蔽壁部５８とは、例えば、後端面５２から光部品５３側へ突設された小片であって、本実施の形態ではフェルール５１と一体的に形成されている。
光部品５３には、２つの光素子６０ａ、６０ｂとそれらを固定する固定部材６２とが設けられている。固定部材６２の先端面６３は、一の光素子６０ａの設けられた一の先端面部６４と、二の光素子６０ｂの設けられた二の先端面部６５とが、フェルール５１の後端面５２方向へずらせて配置され、一の先端面部６４と二の先端面部６５との間に光部品５３側の光遮蔽壁部６６が形成されている。
【００１４】
上記の構成からなる光モジュール５０について、一の光素子６０ａに発光素子を、二の光素子６０ｂに受光素子を設けた場合に、一の光素子６０ａから発せられた光は、一の光ファイバ５５ａに入射し、二の光ファイバ５５ｂから発せられた光は、二の光素子６０ｂに入射する。この時、一の光素子６０ａから発光されて、二の光ファイバ５５ｂへ向かう一部の光は、フェルール５１に設けられた光遮蔽壁部５８によって遮られ、二の光ファイバ５５ｂには入射せず、二の光ファイバ５５ｂから発せられて、一の光素子６０ａへ向かう一部の光は、光部品６２に設けられた光遮蔽壁部６６に遮られ、一の光素子６０ａには入射しない。
【００１５】
上記の光モジュール５０によれば、一の光素子６０ａから発せられた光は、一の光ファイバ５５ａに入射する。フェルール５１の光遮蔽壁部５８により、一の光素子６０ａからの光は遮られ、二の光ファイバ５５ｂ側の光通信には影響しない。また、二の光ファイバ５５ｂから発せられた光は、二の光素子６０ｂに入射する。光部品５３の光遮蔽壁部６６により、二の光ファイバ５５ｂからの光は遮られ、一の光素子６０ａ側の光通信には支障を来すことがない。
また、対向しない二の光ファイバ５５ｂからの光が一の光素子６０ａに入射せず、一の光素子６０ａから発せられた光が二の光素子６０ｂに入射することはないので、規定外の光が入射することによる光素子６０ａ、６０ｂの劣化を防止することができる。
なお、上記の光素子の構成に代えて、一の光素子６０ａに受光素子を、二の光素子６０ｂに発光素子を備えてもよい。
【００１６】
図２（ａ）、（ｂ）は、本発明の参考例を示す図である。図２（ａ）において、符号７０は、光モジュールである。光モジュール７０は、フェルール７１とフェルール７１の後端面７２に近接配置された光部品７３とをケース７０ａに備えた構成とされている。フェルール７１は、光ファイバの一端を接合端面７４において突き合わせ接続可能に成端し、光ファイバの他端を後端面７２に露出させている。この後端面７２には、光ファイバ７５ａが露出する一の端面部７６と光ファイバ７５ｂが露出する二の端面部７７との間に、光部品７３方向へ突出して形成されたフェルール７１側の光遮蔽壁部７８が形成されている。なお、ここでも光通信線側フェルールとの接続には、ガイドピン穴７９、７９にガイドピンを挿入して行う。光部品７３には、２つの光素子８０ａ、８０ｂとそれらを固定する固定部材８２とが設けられている。
【００１７】
本発明の参考例の別の例としての、図２（ｂ）に示す光モジュール９０は、フェルール９１とフェルール９１の後端面９２に近接配置された光部品９３とをケース９０ａに備えた構成とされている。フェルール９１には、４心の光ファイバ９４ａ、９４ｂ、９４ｃ、９４ｄが備えられ、接合端面９５において突き合わせ接続可能に成端され、後端面９２に露出されている。後端面９２には、光ファイバ９４ａと９４ｂ、９４ｂと９４ｃ、９４ｃと９４ｄ間に、光部品９３方向へ突出して形成されたフェルール側の光遮蔽壁部９６ａ、９６ｂ、９６ｃが設けられている。ここでも、光通信線側のフェルールとの接続には、ガイドピン穴９７、９７にガイドピンを挿入して行う。光部品９３には、４つの光素子９８ａ、９８ｂ、９８ｃ、９８ｄと光素子を固定する固定部材１０１と、光素子を積層し固定部材１０１に固定するアレイベース１０２とからなる。
【００１８】
図２（ａ）に示す、光モジュール７０において、光素子８０ａを発光素子、光素子８０ｂを受光素子とすると、光素子８０ａから発せられた光は、光ファイバ７５ａに入射し、光ファイバ７５ｂから発せられた光は、光素子８０ｂに入射する。
光素子８０ａから発せられ、光ファイバ７５ｂに向かう一部の光は、フェルール７１に設けられた光遮蔽壁部７８に遮られて、光ファイバ７５ｂには入射することはなく、同様に、光ファイバ７５ｂから発せられ、光素子８０ａに向かう一部の光は、光遮蔽壁部７８に遮られて、光素子８０ａには入射することはない。
【００１９】
上記の光モジュール７０によれば、光素子８０ａから発せられた光は、光ファイバ７５ａに入射し、光遮蔽壁部７８により光ファイバ７５ｂ側へ入射することがないので、光ファイバ７５ｂの光通信は、正常に行うことができる。光ファイバ７５ｂから発せられた光は、光素子８０ｂに入射し、光遮蔽壁部７８により光素子８０ａ側へ入射することがないので、光素子８０ａ側の光通信は、正常に行うことができる。
また、対向しない光ファイバ７５ｂからの光が光素子８０ａに入射せず、光素子８０ａから発せられた光が光素子８０ｂに入射することはないので、規定外の光が入射することによる光素子８０ａ、８０ｂの劣化を防止することができる。
なお、ここでも上記の光素子の構成に代えて、光素子８０ａを受光素子、光素子８０ｂを発光素子としてもよい。
また図２（ｂ）に示す、光モジュール９０においても、上記と同様の効果が得られる。
【００２０】
図３は、本発明の第二の実施の形態を示す図であり、符号１１０は、光モジュールである。光モジュール１１０は、フェルール１１１とフェルール１１１の後端面１１２に近接配置された光部品１１３とをケース１１０ａに備えた構成とされている。フェルール１１１は、光ファイバの一端を接合端面１１４において突き合わせ接続可能に成端し、光ファイバの他端を後端面１１２に露出させている。この後端面１１２は、一の光ファイバ１１５ａが露出する一の端面部１１６に対して、二の光ファイバ１１５ｂが露出する二の端面部１１８が光部品１１３方向へずらせて配置され、一の端面部１１６と二の端面部１１８との間に光ファイバ１１５ｂと平行にフェルール１１１側の光遮蔽壁部１１９ａが形成されている。同様にして、光ファイバ１１５ｃの露出する後端面１１２と二の端面部１１８との間に光遮蔽壁部１１９ｂが、光ファイバ１１５ｄの露出する後端面１１２と光ファイバ１１５ｃの露出する後端面１１２との間に光遮蔽壁部１１９ｃが形成されている。ここでも、光通信線側フェルールとの接続には、ガイドピン穴１２０、１２０にガイドピンを挿入して行う。
【００２１】
光部品１１３には、４つの光素子１２６ａ、１２６ｂ、１２６ｃ、１２６ｄとそれら光素子を固定する固定部材１３０とが設けられている。固定部材１３０の先端面１３１は、一の光素子１２６ａの設けられた一の先端面部１３２と、二の光素子１２６ｂの設けられた二の先端面部１３３とが、フェルール１１１の後端面１１２方向へずらせて配置され、一の先端面部１３２と二の先端面部１３３との間に光部品１１３側の光遮蔽壁部１３４ａが形成されている。同様にして、光素子１２６ｃが設けられた固定部材１３０の先端面１３１と二の先端面部１３３との間に光遮蔽壁部１３４ｂが、光素子１２６ｄが設けられた固定部材１３０の先端面１３１と光素子１２６ｃが設けられた固定部材１３０の先端面１３１との間に光遮蔽壁部１３４ｃが設けられている。
【００２２】
上記の構成からなる光モジュール１１０において、一の光素子１２６ａを発光素子、二の光素子１２６ｂを受光素子とすると、一の光素子１２６ａから発せられた大部分の光は一の光ファイバ１１５ａに入射し、二の光ファイバ１１５ｂから発せられた大部分の光は、二の光素子１２６ｂに入射する。他の光素子１２６ｃ、１２６ｄについても同様に入射、発光を行う。
一の光素子１２６ａから発せられ、二の光ファイバ１１５ｂへ向かう一部の光は、フェルール１１１に設けられた光遮蔽壁部１１９ａに当たって反射し、二の光ファイバ１１５ｂには入射せず、二の光ファイバ１１５ｂから発せられ、一の光素子１２６ａへ向かう一部の光は、光部品１１３に設けられた光遮蔽壁部１３４ａに当たって反射し、一の光素子１２６ａには入射しない。他の光素子１２６ｃ、１２６ｄや光ファイバ１１５ｃ、１１５ｄからの光についても同様である。
【００２３】
上記の光モジュール１１０によれば、隣合う光ファイバの間に光遮蔽壁部１１９ａ、１１９ｂ、１１９ｃが、隣合う光素子の間に光遮蔽壁部１３４ａ、１３４ｂ、１３４ｃが設けられたことから、一の光素子１２６ａから発せられた光は光ファイバ１１５ａに入射し、光遮蔽壁部１１９ａにより二の光ファイバ１１５ｂ側へ入射することがないので、二の光ファイバ１１５ｂの光通信は、正常に行うことができる。二の光ファイバ１１５ｂから発せられた光は、二の光素子１２６ｂに入射し、光遮蔽壁部１３４ａにより一の光素子１２６ａ側へ入射することがないので、一の光素子１２６ａの光通信は、正常に行うことができる。
また、対向しない二の光ファイバ１１５ｂからの光が一の光素子１２６ａに入射せず、一の光素子１２６ａから発せられた光が二の光素子１２６ｂに入射することはないので、規定外の光が入射することによる光素子１２６ａ、１２６ｂの劣化を防止することができる。
更に、光素子１２６ａ、１２６ｂには市販の製品を使用できることから、光モジュール全体の価格を下げることができる。
上述した内容については、他の光素子１２６ｃ、１２６ｄや光ファイバ１１５ｃ、１１５ｄについても同様のことが言える。
なお、上記の光部品１１３の構成に代えて、光部品１１３にマウントする光素子１２６ａ、１２６ｂ、１２６ｃ、１２６ｄは、すべて受光素子あるいは発光素子である他、混在することも可能である。
【００２４】
【発明の効果】
以上説明したように、本発明の光モジュールによれば、光遮蔽壁部が、隣合う光ファイバ間と光素子間のいずれか一方または双方に設けられることから、対向する光ファイバと光素子との間に、規定外の光が入射することを防止することができて、正常に光通信を行うことができる。更に、光素子には、対向する光ファイバからの光のみが入射し、また光素子は、対向する光ファイバのみに向けて発光することから、光素子に規定外の光が入射することによる光素子の劣化を防止することができる。
【図面の簡単な説明】
【図１】 本発明の第一の実施の形態を示す図であり、光モジュールの平面図を示す。
【図２】 本発明の参考例を示す図であり、（ａ）はフェルールの光ファイバの心線が２本の場合の平面図であり、（ｂ）はフェルールの光ファイバの心線が４本の場合の平面図である。
【図３】 本発明の第二の実施の形態を示す図であり、光モジュールの平面図を示す。
【図４】 Ｖ溝を基板に形成して光ファイバの位置合わせをする、従来の光モジュールを示す平面図である。
【図５】 図４におけるフェルールのＡ−Ａ線視図である。
【図６】 Ｖ溝を用いずに光ファイバの位置合わせをする、従来の光モジュールを示す図であり、（ａ）は上面から見た平面図であり、（ｂ）は側面から見た平面図である。
【図７】 Ｖ溝を用いずに光ファイバの位置合わせをする、従来の光モジュールの別の例を示す平面図である。
【図８】 従来の光モジュールを示す図であり、（ａ）は光ファイバからの光が対向しない発光素子にも入射することを示す概念図であり、（ｂ）は発光素子からの光が対向しない受光素子にも入射することを示す概念図である。
【図９】 フェルールに備える光ファイバの心数が４本である、従来の光モジュールを示す平面図である。
【符号の説明】
５０、７０、９０、１１０ 光モジュール
５１、７１、９１、１１１ フェルール
５２、７２、９２、１１２ 後端面
５３、７３、９３、１１３ 光部品
５４、７４、９５、１１４ 接合端面
５５ａ、１１５ａ 一の光ファイバ
５５ｂ、１１５ｂ 二の光ファイバ
５６、１１６ 一の端面部
５７、１１８ 二の端面部
５８、６６、７８、９６ａ、９６ｂ、９６ｃ、１１９ａ、１１９ｂ、１１９ｃ、１３４ａ、１３４ｂ、１３４ｃ 光遮蔽壁部
６０ａ、１２６ａ 一の光素子
６０ｂ、１２６ｂ 二の光素子
６３、１３１ 先端面
６４、１３２ 一の先端面部
６５、１３３ 二の先端面部
７５ａ、７５ｂ、９４ａ、９４ｂ、９４ｃ、９４ｄ、１１５ｃ、１１５ｄ 光ファイバ
８０ａ、８０ｂ、９８ａ、９８ｂ、９８ｃ、９８ｄ、１２６ｃ、１２６ｄ 光素子
【図１】
0003813322.tif 000002
【図２】
0003813322.tif 000003
【図３】
0003813322.tif 000004
【図４】
0003813322.tif 000005
【図５】
0003813322.tif 000006
【図６】
0003813322.tif 000007
【図７】
0003813322.tif 000008
【図８】
0003813322.tif 000009
【図９】
0003813322.tif 000010